(57)【要約】【課題】、肌への密着性に優れた温熱マスクを提供すること。【解決手段】本発明の温熱マスク１は、顔面の少なくとも一部を覆うマスク本体２と、該マスク本体２の肌当接面２ａ上に配置されたシート状発熱具３とを備えている。マスク本体２は伸長性を有しており、且つマスク本体２とシート状発熱具３とは、マスク本体２を伸長させたときにその肌当接面２ａから起立するリンク部材７を介して接合されている。起立したリンク部材７によって、シート状発熱具３がマスク本体２の肌当接面２ａから浮上するようになされている。【選択図】図１
2010188038.tif 000002
【特許請求の範囲】
【請求項１】
顔面の少なくとも一部を覆うマスク本体と、該マスク本体の肌当接面上に配置されたシート状発熱具とを備えた温熱マスクであって、
前記マスク本体は伸長性を有しており、且つ該マスク本体と前記シート状発熱具とは、該マスク本体を伸長させたときにその肌当接面から起立するリンク部材を介して接合されており、
起立した前記リンク部材によって、前記シート状発熱具が前記マスク本体の肌当接面から浮上するようになされている温熱マスク。
【請求項２】
前記マスク本体は、着用時に両目の周囲を被覆可能な横長の形状を有し且つその長手方向に伸長性を有しており、
前記シート状発熱具は、前記マスク本体の肌当接面上における目の下に対応する部分に配置されており、
前記マスク本体と前記シート状発熱具とは、該マスク本体における目頭に対応する部分の周辺部において、該マスク本体の長手方向に延びる前記リンク部材を介して接合されていると共に、該マスク本体における目尻に対応する部分よりも該マスク本体の長手方向外方に位置する１箇所以上において部分的に接合されており、
前記リンク部材は、前記マスク本体の長手方向の一端部が前記シート状発熱具に接合され、該一端部と反対側に位置する他端部が該マスク本体に接合されており、且つ該リンク部材における該一端部と該他端部との間の中間部は、該マスク本体及び該シート状発熱具と接合されておらず、
前記マスク本体をその長手方向に伸長させたときに、前記リンク部材の前記中間部が起立するようになされている請求項１記載の温熱マスク。
【請求項３】
前記リンク部材の他端部が、前記シート状発熱具の外方において前記マスク本体に接合されている請求項２記載の温熱マスク。
【請求項４】
前記リンク部材が、前記シート状発熱具の構成部材で形成されている請求項１〜３の何れかに記載の温熱マスク。
【請求項５】
前記マスク本体が、着用時に耳を掛ける一対の耳掛け部を有している請求項１〜４の何れかに記載の温熱マスク。
【請求項６】
前記シート状発熱具の肌当接面上に、流動性を有する薬剤を保持し得る薬剤保持層が配置されている請求項１〜５の何れかに記載の温熱マスク。
【請求項７】
前記マスク本体をその伸長率が１１３〜１５２％となるように伸長させたときに、起立した前記リンク部材によって該マスク本体の肌当接面から浮上した前記シート状発熱具の浮上量が６〜２４ｍｍである請求項１〜６の何れかに記載の温熱マスク。
【発明の詳細な説明】
【技術分野】
【０００１】
本発明は、目元等の顔面の所望の部位に熱を付与するシート状発熱具を備えた温熱マスクに関する。
【背景技術】
【０００２】
従来、皮膚のかさつき、小じわやくま、くすみ等の改善のために、化粧料や薬剤が塗布されたシート状発熱体あるいは水性の化粧料、医薬成分が担持されたシートが接合されたシート状発熱体を顔面に装着し、発熱体から生じる熱を利用して、化粧料や薬剤の肌への浸透を促進させたり、毛穴を開いたりさせる技術が提案されている。
【０００３】
例えば特許文献１には、使用者の顔面の略全域を覆う仮面状のシート状発熱体を用いた加温器具が記載されている。また特許文献２には、目の下に貼り付けて使用する略三日月状の目元用温熱具が記載されている。
【先行技術文献】
【特許文献】
【０００４】
【特許文献１】特開昭５６−８５３３６号公報
【特許文献２】特開２００１−３１５５６号公報
【発明の概要】
【発明が解決しようとする課題】
【０００５】
特許文献１に記載の仮面状の温熱具（加温器具）は、シート状発熱体等の構成部材の剛性に起因する反発力等により、肌への密着性が不十分であった。特に、目頭の周辺部は、顔面の中でも特に窪みが深い部分であるため、仮面状のシート状発熱体が密着しにくく、そのため熱が十分に付与されない。
【０００６】
また、特許文献２に記載の温熱具（保湿用ゲルシート）は、その発熱材が収容される部材が、通気性シートとシート基材とがそれらの周縁部においてヒートシールされてなる袋体から構成されているため、柔軟性はあっても伸縮性に乏しく、肌への密着性が不十分であった。また、特許文献２に記載の温熱具は、肌当接面側に含水ゲルが設けられており、該含水ゲルを肌に貼り付けて使用するものであるところ、該含水ゲルは、化粧用クリーム等の、油溶成分や界面活性剤を含む薬剤が肌に塗布されていると、肌に対する貼付力が大幅に低下するため、このような薬剤を塗布した場合には実質的に使用できない。
【０００７】
従って本発明の課題は、肌への密着性に優れた温熱マスクを提供することにある。
【課題を解決するための手段】
【０００８】
本発明は、顔面の少なくとも一部を覆うマスク本体と、該マスク本体の肌当接面上に配置されたシート状発熱具とを備えた温熱マスクであって、前記マスク本体は伸長性を有しており、且つ該マスク本体と前記シート状発熱具とは、該マスク本体を伸長させたときにその肌当接面から起立するリンク部材を介して接合されており、起立した前記リンク部材によって、前記シート状発熱具が前記マスク本体の肌当接面から浮上するようになされている温熱マスクを提供することにより、前記課題を解決したものである。
【発明の効果】
【０００９】
本発明の温熱マスクは、リンク部材を含んで構成される、シート状発熱部のリフトアップ機構により、シート状発熱部の肌への密着性に優れている。リンク部材をマスク本体の適切な位置に配置することにより、例えば、両目の周囲を被覆可能な従来のマスクでは十分な密着性が得られなかった目頭の周辺部に対してもシート状発熱具が密着し、斯かる部位を含む目元に十分な熱を付与することができる。
【図面の簡単な説明】
【００１０】
【図１】図１は、本発明の温熱マスクの第１実施形態の肌当接面側の平面図である。
【図２】図２は、図１のＩ−Ｉ線断面を模式的に示した断面図である。
【図３】図３は、図１に示す温熱マスクにおける右目側の一部の側面図（下面図）である。
【図４】図４は、図１に示す温熱マスクの使用方法の説明図である。
【図５】図５は、図１に示す温熱マスクにおけるリンク部材の動作の説明図である。
【図６】図６は、本発明に係るシート状発熱具のリフトアップ機構による効果の説明図であり、図６（ａ）は、図１に示す温熱マスクにおける片目側の使用状態を模式的に示す上面図、図６（ｂ）は、リフトアップ機構（リンク部材）を備えていない本発明の範囲外の温熱マスクにおける片目側の使用状態を模式的に示す上面図である。
【図７】図７は、本発明の温熱マスクの第２実施形態の図２相当図である。
【図８】図８は、本発明の温熱マスクの第３実施形態におけるシート状発熱具の平面図である。
【図９】図９（ａ）は、図８に示すシート状発熱具を備えた第３実施形態の図３相当図、図９（ｂ）は、第３実施形態の図５相当図である。
【図１０】図１０は、本発明の温熱マスクの第４実施形態におけるシート状発熱具の平面図である。
【図１１】図１１（ａ）は、図１０に示すシート状発熱具を備えた第４実施形態の図３相当図、図９（ｂ）は、第４実施形態の図５相当図である。
【図１２】図１２（ａ）は、本発明の温熱マスクの使用者の頭部の正面図、図１２（ｂ）は該頭部の左側面図である。
【発明を実施するための形態】
【００１１】
以下、本発明の温熱マスクについて、その好ましい一実施形態である第１実施形態に基づき図面を参照しながら説明する。図１は、本発明の第１実施形態の温熱マスクの肌当接面側の平面図（背面図）、図２は、図１のＩ−Ｉ線断面を模式的に示した断面図、図３は、図１に示す温熱マスクにおける右目側の一部の側面図（下面図）である。第１実施形態の温熱マスク１は、顔面の少なくとも一部を覆うマスク本体２と、該マスク本体２の肌当接面（マスク着用時に使用者の肌と対向する面）２ａ上に配置されたシート状発熱具３とを備えている。
【００１２】
第１実施形態の温熱マスク１は目元に熱を付与する目元用温熱マスクであり、マスク本体２は、図１に示すように、着用時に両目の周囲を被覆可能な横長の形状を有している。ここで、「目の周囲」とは、開眼状態における眼瞼裂の外側の領域をいい、眼窩の領域を含み且つそれよりも広い領域を指す。また、熱を付与するとは、シート状発熱具を肌へ直接接触させて熱を付与すること、及び水蒸気の透過が可能な介在物を介して間接的に肌へ接触させて熱を付与することの双方を包含する。
【００１３】
マスク本体２は、略扁平状の１枚のシート材から形成されており、目の周囲を覆うに足る形状及び大きさを有している。より具体的には、マスク本体２は、その上下方向が顔の額（眉）から鼻尖にかけての部位を被覆し、その左右方向が、両頬間の部位を被覆するような大きさ及び形状をしている。目に対応する部分はくり抜かれて開口部４，４が形成されており、また、鼻に対応する部分は切り欠かれて切り欠き部５が形成されている。扁平状のマスク本体２は、使用者の肌に近い側に位置する第１の面（肌当接面、背面）２ａ及びそれと反対側に位置し且つ使用者の肌から遠い側に位置する第２の面（正面）２ｂを有している。
【００１４】
マスク本体２は、着用時に耳を掛ける一対の耳掛け部６，６を有している。耳掛け部６は、マスク本体２における、シート状発熱具３よりも該マスク本体２の長手方向外方に延出している延出部から形成されている。該延出部の略中央部には穴６１が形成されており、該穴６１の中に耳を通すことにより、耳掛け部６を使用者の耳に固定することができる。
【００１５】
マスク本体２は、マスク本体２の長手方向（図１の左右方向）に伸長性を有している。ここで、マスク本体が伸長性を有しているとは、マスク本体全体が伸長性を有している場合、及びマスク本体の一部が伸長性を有している場合の両方を含む。マスク本体の一部が伸長性を有している場合、その一部（伸長性を有している部分）は、マスク本体におけるシート状発熱具の配置部（マスク本体におけるシート状発熱具と重なっている部分）を含んでいることが好ましい。第１実施形態においては、マスク本体２全体がその長手方向に伸縮性を有しており、マスク本体２の長手方向の両端を把持して長手方向に沿って引っ張ると、マスク本体２は長手方向に伸び、引張力が解除されると元の長さに戻る。
【００１６】
マスク本体２は、後述するシート状発熱具３のリフトアップ機構の有効性を高める観点から、伸長可能な部分（第１実施形態ではマスク本体２全体）が伸長した状態で顔面に装着されるようになされていることが好ましい。具体的には、自然状態（非伸長状態）のマスク本体２における、使用者の右耳裏頂部に対応する部分Ｒ１と左耳裏頂部に対応する部分Ｒ２との間の長さＷ１（図１参照）が、使用者の顔面に沿って測定した両耳裏頂部ＹＲ，ＹＬ間を結ぶ曲線Ｚ（図１２参照）の長さW２よりも短いことが好ましい。使用者の両耳裏頂部間の長さＷ２に対するマスク本体２の長さＷ１の割合（Ｗ１／Ｗ２）は、好ましくは６５〜８８％、更に好ましくは６７〜８２％である。そして、マスク本体２は、その長手方向に伸長させることによって、その長さＷ１が前記長さＷ２以上となるような伸長性を有していることが好ましい。
【００１７】
尚、前記長さＷ２は、図１２に示すように、右耳裏頂部ＹＲ、右目の中心部ＥＲ、左目の中心部ＥＬ及び左耳裏頂部ＹＬそれぞれの間を最短距離で結ぶ曲線Ｚの長さであり、専用の計測装置（例えば日本電気（株）製の頭部測定装置）で計測することができる。また、前記長さＷ２は、デジタルヒューマン研究センターが提供する、頭部計測データから算出することができ、提供された該データに基づき、３次元ＣＡＤを用いてパソコン上で計測（算出）することができる。平均的な成人女性の前記長さＷ２はおよそ３１４ｍｍであることから、自然状態のマスク本体２の前記長さＷ１は３１４ｍｍよりも短いことが好ましく、具体的には２０４〜２７６ｍｍ、特に２１０〜２５７ｍｍが好ましい。
【００１８】
マスク本体２の厚み（無荷重下における厚み）は特に制限されないが、良好な使用感を得る観点からは薄いことが好ましく、０．３〜５ｍｍ、特に０．５〜２ｍｍが好ましい。
【００１９】
シート状発熱具３は、図１及び図２に示すように、マスク本体２の肌当接面２ａ上における目の下に対応する部分Ａに配置されている。マスク本体２における目の下に対応する部分Ａは、開口部４（目に対応する部分）の下方に位置する部分であり、目頭（図４、図６及び図１２中符号Ｅａで示す部分）に対応する部分Ｐと目尻（図４、図６及び図１２中符号Ｅｂで示す部分）に対応する部分Ｑとの間に存している。目頭に対応する部分Ｐは、マスク本体２における着用時に目頭Ｅａに最も近接する部分であり、目尻に対応する部分Ｑは、マスク本体２における着用時に目尻Ｅｂに最も近接する部分である。
【００２０】
より具体的には、シート状発熱具３は、平面視して略Ｌ字状で偏平な形状をしており、マスク本体２の第１の面（肌当接面）２ａ上において、目の下に対応する部分Ａ、及び目尻に対応する部分Ｑよりもマスク本体２の長手方向外方に位置する部分（即ち、目尻に対応する部分Ｑと耳掛け部６の穴６１との間）Ｂの両部分Ａ，Ｂに跨って連続的に配置されている。
【００２１】
図１に示すように、目頭に対応する部分Ｐを通り且つマスク本体２の長手方向と直交する方向（図１の上下方向）と平行な仮想直線Ｌ１を引いたときに、該仮想直線Ｌ１と、鼻に対応する部分（切り欠き部５）を境界として該仮想直線Ｌ１とマスク本体２の長手方向の同じ側に位置する、シート状発熱具３との間の最短離間距離は１０ｍｍ以内、特に５ｍｍ以内であることが好ましい。シート状発熱具３は仮想直線Ｌ１を跨いで配置されていても良い。
【００２２】
シート状発熱具３は、図２に示すように、発熱部３１及び該発熱部３１を収容する収容体３２を備えている。収容体３２は扁平なものであり、複数のシート材を貼り合わせて、発熱部３１が収容される密閉空間が形成されたものである。この密閉空間が発熱部３１の収容部になっている。扁平な形状を有する収容体３２は、使用者の肌に近い側に位置する第１の面３２ａ、及び該第１の面３２ａと反対側に位置し且つ使用者の肌から遠い側に位置する第２の面３２ｂを有している。
【００２３】
発熱部３１は化学エネルギーを利用して発熱を起こさせる部位である。利用し得る化学エネルギーとしては、被酸化性金属の酸化反応により生じる酸化熱、酸とアルカリの中和熱、無機塩類（塩化カルシウム、塩化マグネシウム、酸化カルシウム、酸化マグネシウム、ゼオライト等）の水和熱などが挙げられる。これらのうち、取り扱い性が良好であることや、発熱量が比較的大きいこと、携帯やコンパクト化が容易であることから、第１実施形態においては、被酸化性金属の酸化反応により生じる酸化熱を用いている。
【００２４】
化学エネルギーを利用した発熱部３１の具体的な構成は、化学エネルギーの種類に応じて適宜定められる。例えば被酸化性金属の酸化反応により生じる酸化熱を用いる場合には、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した組成物から構成される。この組成物には、更に保水剤（例えば、バーミキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させる。
【００２５】
前述の成分を含有する発熱部３１は、発熱シート又は発熱粉体の形態となっている。特に発熱シートの形態になっていることが、温熱マスク１の使用中に被酸化性金属等の偏りを防止でき、均一な発熱を行い得る点から好ましい。発熱シートとしては、湿式抄造により得られたシート状物や、発熱粉体を紙等で挟持してなる積層体等が挙げられる。そのような発熱シートは、例えば本出願人の先の出願に係る特開２００３−１０２７６１号公報に記載の湿式抄造法や、ダイコーターを用いたエクストルージョン法を用いて製造することができる。
【００２６】
収容体３２における第１の面３２ａ及び第２の面３２ｂの少なくとも一面が通気面になっている。ここで、通気面とは、空気が当該面を透過可能であることを意味する。通気面（通気面を構成するシート材）の通気度（ＪＩＳ  Ｐ８１１７で規定）としては、好ましくは５００〜１００,０００ｓｅｃ／１００ｃｃ、更に好ましくは１５００〜２０，０００ｓｅｃ／１００ｃｃから適宜選定される。シート状発熱具３は、図２に示すように、収容体３２における第１の面３２ａの側が使用者の肌に対向し、第２の面３２ｂの側がマスク本体２に対向するように配置される。例えば第１の面３２ａ及び第２の面３２ｂの何れもが通気面である場合、マスク本体２を通じて第２の面３２ｂを透過してきた空気（酸素）は、収容体３２内に収容されている発熱部３１を構成する被酸化性金属と反応し、それによって発熱が起こる。発生した熱は、第１の面３２ａを通じて使用者の肌に付与される。
【００２７】
収容体３２における第１の面３２ａ及び第２の面３２ｂは何れもシート材から構成されている。収容体３２は、第１の面３２ａ及び第２の面３２ｂをそれぞれ構成するシート材を熱融着や接着等の接合手段によって互いに接合して形成された閉じた形状の環状接合部３３を有している。環状接合部３３は連続に形成されている。収容体３２は、環状接合部３３よりも内側の部分において第１の面３２ａと第２の面３２ｂとが非接合状態になっている。この環状接合部３３によって包囲された収容体３２の非接合部分が、発熱部３１の収容部である。環状接合部３３の輪郭は、収容体３２に収容されている発熱部３１の輪郭を画定するものであり、平面視して各端部が丸みを帯びた略Ｌ字状をしている。
【００２８】
シート状発熱具３は、マスク着用時に使用者の身体に十分に追従するためには、柔軟であることが好ましい。掛かる観点から、シート状発熱具３の剛性（発熱部３１の存在領域における剛性）は、１Ｎ以下、特に０．５Ｎ以下であることが好ましい。ここでいう剛性は、ＪＩＳ  Ｌ１０９６で規定する、ハンドルオメーターにより測定された剛軟性の値を意味する。
【００２９】
また、シート状発熱具３の厚みは特に制限されないが、良好な使用感を得る観点からは薄いことが好ましく、０．３〜５ｍｍ、特に０．５〜２ｍｍが好ましい。尚、ここでいう厚みは、シート状発熱具３における発熱部３１の存在領域の無荷重下における厚みである。
【００３０】
マスク本体２とシート状発熱具３とは、マスク本体２を伸長させたときにその肌当接面２ａから起立するリンク部材７を介して接合されており、起立したリンク部材７によって、シート状発熱具３〔シート状発熱具３におけるリンク部材７（一端部７１）との接合部〕がマスク本体２の肌当接面２ａから浮上するようになされている（図５参照）。より具体的には、マスク本体２とシート状発熱具３とは、マスク本体２における目頭に対応する部分Ｐの周辺部において、マスク本体２の長手方向に延びるリンク部材７を介して接合されていると共に、マスク本体２における目尻に対応する部分Ｑよりも該マスク本体２の長手方向外方に位置する１箇所以上において部分的に接合されている。ここで、マスク本体２における目頭に対応する部分Ｐの周辺部とは、目頭に対応する部分Ｐから好ましくは２５ｍｍ以内、更に好ましくは２０ｍｍ以内の領域を意味する。リンク部材７は、少なくともその一部が該領域内に存している。
【００３１】
第１実施形態におけるシート状発熱具３は、図１に示すように、マスク本体２における目の下に対応する部分Ａにおいては、リンク部材７を介してマスク本体２と接合されており、マスク本体２における目尻に対応する部分Ｑよりもマスク本体２の長手方向外方に位置する部分Ｂにおいては、シート状発熱具３の環状接合部３３に位置する複数（２つ）の接合部３４，３４にて、マスク本体２と接合されている。接合部３４は、熱融着や接着等の公知の接合手段によって形成されている。つまり、第１実施形態におけるマスク本体２とシート状発熱具３との間の接合部は、計３箇所存在している。
【００３２】
リンク部材７は、図１に示すように、平面視して長方形形状（帯状）を有している偏平なものであり、その長手方向をマスク本体２の長手方向に一致させて、マスク本体２とシート状発熱具３との間に配置されている。リンク部材７のマスク本体２の長手方向に沿った長さは、好ましくは５〜４０ｍｍ、更に好ましくは１０〜３０ｍｍであり、該長手方向と直交する方向の長さ（幅）は、好ましくは３〜２０ｍｍ、更に好ましくは５〜１０ｍｍである。
【００３３】
第１実施形態におけるリンク部材７は、マスク本体２及びシート状発熱具３とは別部材からなる。リング部材７の形成材料としては、シート状発熱部３をマスク本体２の肌当接面２ａから浮上させるというリング部材７の役割を考慮すると、剛性の高い（硬い）ものが好ましく、例えば、ポリエチレンテレフタレート（ＰＥＴ）、ポリプロピレン（ＰＰ）、ポリエチレン（ＰＥ）等のプラスチックフィルム、ＰＥＴ、ＰＰ等を主材とする高剛性不織布、紙等を用いることができる。
【００３４】
リンク部材７の剛性は、０．４Ｎ以上、特に１．３〜２Ｎであることが好ましい。ここでいう剛性は、ＪＩＳ  Ｌ１０９６で規定する、ハンドルオメーターのスリット幅が２０ｍｍ、試験試料片の大きさが２００ｍｍ四方角で測定された剛軟性の値を意味する。
【００３５】
リンク部材７は、図３に示すように、マスク本体２の長手方向の一端部７１がシート状発熱具３と接合され、一端部７１と反対側に位置する他端部７２がマスク本体２と接合されており、且つリンク部材７における一端部７１と他端部７２との間の中間部７３は、マスク本体２及びシート状発熱具３と接合されていない。リンク部材７とマスク本体２及びシート状発熱具３との接合は、熱融着や接着等の公知の接合手段によってなされている。中間部７３は、温熱マスク１の未使用時（マスク本体２の非伸長時）においては、マスク本体２の第１の面（肌当接面）２ａと略平行（第１の面とのなす角度が５度以下）となっている。中間部７３のリンク部材７の長手方向に沿った長さは、好ましくは５〜４０ｍｍ、更に好ましくは１０〜３０ｍｍである。
【００３６】
シート状発熱具３と一体化されているリンク部材７の一端部７１は、マスク本体２と一体化されている他端部７２よりも切り欠き部５（マスク本体２における鼻に対応する部分）に近接している。リンク部材７の一端部７１は、シート状発熱具３における、切り欠き部５寄りの環状接合部３３と接合されている。リンク部材７の他端部７２は、マスク本体２におけるシート状発熱具３の配置部内に位置している。
【００３７】
図４には、第１実施形態の温熱マスク１の使用方法が示されている。温熱マスク１は、図４に示すように、耳掛け部６（穴６１）を利用して耳に掛けられ、使用される。マスク本体２は、このように顔面に装着された時にその長手方向に伸長され、それに伴ってマスク本体２と接合されているシート状発熱具３が、近傍の耳掛け部６側に引っ張られる。
【００３８】
このとき、図５に示すように、リンク部材７の中間部７３が、他端部７２を立ち上がり基端部としてマスク本体２から起立し、これにより、シート状発熱具３におけるリンク部材７の一端部７１と接合されている部分及びその周辺部、即ち目頭の周辺部に対応する部分が、マスク本体２の第１の面（肌当接面）２ａから浮き上がる。こうして、シート状発熱具３が中間部７３に支持されてマスク本体２から浮き上がることにより、シート状発熱具３の肌Ｓへの密着性が高まる。このように、第１実施形態の温熱マスク１は、マスク本体２の伸長動作をリンク部材７の起立動作に変える、シート状発熱具のリフトアップ機構を備えている。
【００３９】
図６は、このようなシート状発熱具のリフトアップ機構による効果の説明図であり、図６（ａ）（マスク本体を長手方向に二分する一点破線Ｘよりも左側の図）は、リフトアップ機構を備えた第１実施形態の温熱マスク１における片目側の使用状態を模式的に示す上面図、図６（ｂ）（一点破線Ｘよりも右側の図）は、リフトアップ機構（リンク部材）を備えていない温熱マスク１００における片目側の使用状態を模式的に示す上面図である。図６（ｂ）に示す温熱マスク１００は、リンク部材７を介さずにマスク本体２とシート状温熱具３とが接合されされている点以外は、図６（ａ）に示す第１実施形態の温熱マスク１と同様に構成されている。マスク本体２（シート状発熱具３）における目の下に対応する部分Ａの中でも特に目頭Ｅａの周辺部は、その近傍に、鼻に対応して形成された切り欠き部５（図６では図示せず）が存在しているため、マスク本体２を両耳に掛けて長手方向に伸長させてもその引張力が殆ど伝わらない。そのため、リンク部材７を備えていない温熱マスク１００は、図６（ｂ）に示すように、目頭Ｅａの周辺部に対する密着性に乏しい。これに対し、第１実施形態の温熱マスク１は、リンク部材７を含んで構成される前述したリフトアップ機構を備えていることにより、図６（ａ）に示すように、シート状発熱具３が目頭Ｅａの周辺部を含む目元に密着し、目元に熱を十分に付与することができる。
【００４０】
前述したシート状発熱具のリフトアップ機構は、次のように設計されていることが好ましい。即ち、マスク本体２（使用者の右耳裏頂部に対応する部分Ｒ１と左耳裏頂部に対応する部分Ｒ２との間）をその伸長率が１１３〜１５２％となるように伸長させたときに、起立したリンク部材７によって該マスク本体２の肌当接面２ａから浮上したシート状発熱具３の浮上量Ｔ（図５参照。肌当接面２ａからの浮上量が最も大きい部分の浮上量。）が６〜２４ｍｍであることが好ましく、特にマスク本体２（部分Ｒ１とＲ２との間）をその伸長率が１２１〜１４７％となるように伸長させたときの浮上量Ｔが１０〜２２ｍｍであることが好ましい。温熱マスク１がこのようなシート状発熱具のリフトアップ機構を備えていることにより、多くの使用者に対してシート状発熱具３を目元に密着させることが可能となり、製品価値が一層向上する。ここで、マスク本体の伸長率は次式により求められる。  伸長率（％）＝[伸長状態（マスク本体２をその長手方向に伸長させた状態）のマスク本体２の前記長さＷ１（使用者の右耳裏頂部に対応する部分Ｒ１と左耳裏頂部に対応する部分Ｒ２との間の長さ）／自然状態（非伸長状態）のマスク本体２の前記長さＷ１]×１００
【００４１】
シート状発熱具３によって熱が付与されている皮膚の温度は、好ましくは３８〜４２℃である。このような皮膚温度は、シート状発熱具３を構成する収容体３２の透湿度、通気度や、収容体３２に収容される発熱部３１の組成によってコントロールすることができる。
【００４２】
第１実施形態の温熱マスク１は、その使用前は、その全体が酸素バリア性を有する包装材（図示せず）によって包装されて、シート状発熱具３の発熱部３１が空気中の酸素と接触しないようになっている。酸素バリア性の材料としては、例えば、その酸素透過係数（ＡＳＴＭ Ｄ３９８５）が１０ｃｍ3・ｍｍ／（ｍ2・ｄａｙ・ＭＰａ）以下、特に２ｃｍ3・ｍｍ／（ｍ2・ｄａｙ・ＭＰａ）以下のものが好ましい。具体的には、エチレン−ビニルアルコール共重合体やポリアクリロニトリル等のフィルム、又はそのようなフィルムにセラミック若しくはアルミニウム等を蒸着したフィルムが挙げられる。
【００４３】
次に、第１実施形態の温熱マスク１を構成する部材の詳細について説明すると、マスク本体２を形成するシート材としては、通気性及び伸長性を有しているものが好ましく、特に通気性及び伸縮性を有しているものが好ましい。具体的には、例えばスパンレース不織布、ニードルパンチ不織布、エアスルー不織布、伸縮性を有するスパンボンド不織布等が挙げられる。
【００４４】
シート状発熱具３を構成する収容体３２において、第１の面３２ａ及び第２の面３２ｂは、それぞれ透湿性を有していても良く、あるいは透湿性を有していなくても（非透湿性でも）良く、温熱マスクの用途等に応じて適宜選択することができる。
【００４５】
収容体３２の形態の一例として例えば、第１の面３２ａが非透湿性フィルムから構成され、第２の面３２ｂが透湿性フィルム又は通気性フィルムから構成された形態が挙げられる。非透湿性フィルムとしては、各種熱可塑性樹脂からなるフィルムが用いられる。第２の面３２ｂが透湿性フィルムから構成される場合、該透湿性フィルムは例えば、熱可塑性樹脂と無機フィラーとを溶融混練して押し出した溶融物をフィルム状に成形し、成形されたフィルムを一軸又は二軸延伸することで製造される。透湿性フィルムの透湿度（ＪＩＳ  Ｚ０２０８、４０℃、９０％ＲＨ）は、２００〜５０００ｇ／（ｍ2・２４ｈｒ）、特に５００〜１０００ｇ／（ｍ2・２４ｈｒ）であることが好ましいが、透湿度（ＪＩＳ  Ｚ０２０８で規定）及び通気度（ＪＩＳ  Ｐ８１１７で規定）は、発熱部３１の組成や量、使用形態（短時間発熱型、長時間発熱型、水蒸気発生型等）により適宜選定される。収容体３２の肌触りを良好にする目的で、第１の面３２ａを構成するフィルム及び／又は第２の面３２ｂを構成するフィルムの外面に、不織布等の風合いの良好なシートをラミネートしても良い。
【００４６】
次に、本発明の他の実施形態について説明する。後述する他の実施形態については、先に詳述した第１実施形態と異なる構成部分を主として説明し、同様の構成部分は同一の符号を付して説明を省略する。特に説明しない構成部分は、第１実施形態についての説明が適宜適用される。
【００４７】
図７は、第２実施形態の温熱マスクの図２相当図（マスクの長手方向に沿った断面の一部の模式図）である。第２実施形態の温熱マスクにおいては、シート状発熱具３の肌当接面側（収容体３２の第１の面３２ａ上）に、流動性を有する薬剤（図示せず）を保持し得る薬剤保持層１０が配置されている。尚、図７は、温熱マスクの一方の側（右目側又は左目側）のみを図示しているが、図７に記載されていない他方の側も、図７と同様に構成され薬剤保持層１０が配置されている。薬剤保持層１０は、平面視して発熱部３１と同形状（略Ｌ字状）で略同寸法のシート材である。シート状発熱具３と薬剤保持層１０とは、熱融着や接着等の公知の接合手段によって接合され一体化されている。
【００４８】
薬剤保持層１０としては、柔軟性や伸縮性を有する材料からなる繊維シートを用いることが、使用者の身体に追従しやすくなる観点から好ましい。そのような材料としては、各種不織布、例えばエアスルー不織布、スパンボンド不織布、スパンレース不織布、メルトブローン不織布、これらの不織布の複合材料、これらの不織布とフィルムとの複合材料などが挙げられる。薬剤保持層１０の坪量は、薬剤の供給量やシート状発熱具３の取り扱い性等を考慮して決定され、例えば２０〜２００ｇ／ｍ2、特に４０〜１２０ｇ／ｍ2とすることができる。
【００４９】
また、第２実施形態における収容体３２は、薬剤保持層１０と一体化される第１の面３２ａが非通気面、第２の面３２ｂが通気面になっている。ここで、非通気面とは、空気が当該面を透過不可能又は透過困難であることを意味する。非通気面（非通気面を構成するシート材）の通気度（ＪＩＳ  Ｐ８１１７で規定）としては、好ましくは５０，０００ｓｅｃ／１００ｃｃ以下、更に好ましくは１００，０００ｓｅｃ／１００ｃｃ以下から適宜選定される。非通気面を構成するシート材としては、ＰＥ、ＰＰ、ＰＥＴ、一軸延伸ポリプロピレン（ＯＰＰ），ポリエステル等のフィルムで、マスクの使用時間内に通気面の通気量に影響を与えない程度の不透過性があれば良い。
【００５０】
第２実施形態の温熱マスクは、薬剤が保持された薬剤保持層１０が使用者の目元に当接されて使用される。第２実施形態の温熱マスクによれば、シート状発熱具３から付与される熱が薬剤保持層１０に伝わって、該薬剤保持層１０に含まれている有効成分が使用者の皮膚に浸透しやすくなる。また発生した熱が使用者の肌にも伝わって毛穴が開き、それによっても有効成分が使用者の肌に浸透しやすくなる。
【００５１】
前記薬剤は、流動性を有しているものであればその剤状は特に限定されず、水系の液体、乳化物、ゲル、クリーム、ワセリン等種々のものがある。薬剤の組成も特に限定されず、任意のものを使用できる。また薬剤は水性であっても良く、油性であっても良い。薬剤の含有成分としては、例えば経皮吸収されて真皮引き締め、美白、血行促進、脂肪分解促進、抗炎症等の効果を発現する物質が挙げられる。具体的には、植物抽出物、動物抽出物、グアニジン誘導体、カテコールアミン類、アミノ酸、ビタミン類、ホルモン、有機酸、天然抽出のスフィンゴシン誘導体、合成セラミド類似体等が挙げられる。
【００５２】
図８は、第３実施形態の温熱マスクにおけるシート状発熱具の平面図、図９（ａ）は、図８に示すシート状発熱具を備えた第３実施形態の図３相当図（温熱マスクにおける右目側の一部の側面図（下面図））、図９（ｂ）は、第３実施形態の図５相当図（温熱マスクにおけるリンク部材の動作の説明図）である。第３実施形態の温熱マスクにおいては、リンク部材７がシート状発熱具３の構成部材で形成されている。リンク部材７として用いられる、シート状発熱具３の構成部材としては、収容体３２における第１の面３２ａを構成しているシート材及び／又は第２の面３２ｂを構成しているシート材を用いることができる。図８及び図９に示した形態におけるリンク部材７は、両シート材が熱融着や接着等の接合手段によって互いに接合して形成されており、前述した収容体３２の環状接合部３３（発熱部３１の外形に沿っている部分）と連続的に繋がって一体化している。
【００５３】
第３実施形態においては、図８及び図９に示すように、収容体３２における第１の面３２ａを構成しているシート材及び第２の面３２ｂを構成しているシート材が、目頭に対応する部分Ｐの周辺部（図８及び図９では図示しない切り欠き部５の近傍）において、発熱部３１の周縁から切り欠き部５に向かって延出しており、この両シート材の延出部がリンク部材７として機能する。この延出部からなるリンク部材７は、図８に示すように平面視して略矩形形状を有している。第３実施形態におけるシート状発熱具３は、図９に示すように、発熱部３１の周縁から延出する前記両シート材の延出部からなるリンク部材７を該シート状発熱具３側に折り返し、その折り返し部の先端部をマスク本体２に接合させて配置される。延出部からなるリンク部材７は、熱融着処理されて剛性が高められていることが好ましい。
【００５４】
第３実施形態によっても第１実施形態と同様の効果が奏される。特に第３実施形態においては、シート状発熱具３の構成部材をリンク部材７として利用しているため、加工性や製造コストの点で有利である。
【００５５】
図１０は、第４実施形態の温熱マスクにおけるシート状発熱具の平面図、図１１（ａ）は、図１０に示すシート状発熱具を備えた第４実施形態の図３相当図（温熱マスクにおける右目側の一部の側面図（下面図））、図１１（ｂ）は、第４実施形態の図５相当図（温熱マスクにおけるリンク部材の動作の説明図）である。第４実施形態の温熱マスクも、第３実施形態と同様に、リンク部材７がシート状発熱具３の構成部材で形成されている。
【００５６】
第４実施形態においては、図１０及び図１１に示すように、収容体３２における第１の面３２ａを構成しているシート材及び第２の面３２ｂを構成しているシート材が、目頭に対応する部分Ｐの周辺部（図１０及び図１１では図示しない切り欠き部５の近傍）において、発熱部３１の周縁から切り欠き部５に向かって延出し、更に収容体３２の周縁に沿って耳掛け部６に向かって延びており、この両シート材の延出部がリンク部材７として機能する。この延出部からなるリンク部材７は、図１０に示すように平面視して略Ｃ字状を有しており、そのＣ字状の中央部（即ち切り欠き部５寄りのマスク本体長手方向の一端部）７１において収容体３２と接合されて一体化されており、Ｃ字状のその他の部分（一端部７１以外の部分）は収容体３２と一体化されておらず、該他の部分と収容体３２との間には、所定幅の切離部８が設けられている。Ｃ字状のリンク部材７の両端部（即ち一端部７１とマスク本体長手方向の反対側に位置する他端部）７２，７２は、図１０に示すように、シート状発熱具３（収容体３２）の外方においてマスク本体２と接合されている。この略Ｃ字状のリンク部材７は、その全体が熱融着処理されて剛性が高められていることが好ましい。Ｃ字状のリンク部材７は、例えば、図１に示すシート状発熱具３における環状接合部３３の所定部分に切れ込みを入れて切離部８，８を形成することにより得られる。
【００５７】
第４実施形態によっても第１実施形態と同様の効果が奏される。特に第４実施形態においては、シート状発熱具３の構成部材をリンク部材７として利用しているため、加工性や製造コストの点で有利であり、とりわけ、Ｃ字状のリンク部材７の他端部７２，７２が、シート状発熱具３の外方においてマスク本体２と接合されており、該リンク部材７が第１実施形態のようにシート状発熱具３によって被覆されておらず、露出しているため、シート状発熱具３のマスク本体２への接合処理を簡単に行うことができる。
【００５８】
以上、本発明をその好ましい実施形態に基づき説明したが、本発明は前記実施形態に制限されない。例えば、前記実施形態は、目元に熱を付与する目元用温熱マスクであったが、本発明の温熱マスクは目元用に限定されず、顔面の所望の部位に熱を付与するように適宜設計可能である。
【符号の説明】
【００５９】
１  温熱マスク
２  マスク本体
２ａ  マスク本体の肌当接面
３  シート状発熱具
４  開口部
５  切り欠き部
６  耳掛け部
７  リンク部材
８  切離部
１０  薬剤保持層
３１  発熱部
３２  収容部
３３  環状接合部
３４  接合部
６１  穴
７１  リンク部材の一端部
７２  リンク部材の他端部
７３  リンク部材の中間部
Ａ  マスク本体における目の下に対応する部分
Ｅａ  目頭
Ｅｂ  目尻
Ｐ  マスク本体における目頭に対応する部分
Ｑ  マスク本体における目尻に対応する部分
【図１】
2010188038.tif 000003
【図２】
2010188038.tif 000004
【図３】
2010188038.tif 000005
【図４】
2010188038.tif 000006
【図５】
2010188038.tif 000007
【図６】
2010188038.tif 000008
【図７】
2010188038.tif 000009
【図８】
2010188038.tif 000010
【図９】
2010188038.tif 000011
【図１０】
2010188038.tif 000012
【図１１】
2010188038.tif 000013
【図１２】
2010188038.tif 000014